(57)【要約】      （修正有）【課題】パチンコホールで使用されたパチンコ遊技装置を遊技コーナーで使用されるパチンコ遊技装置として、容易に転用することが可能なパチンコ玉回収供給装置を提供する。【解決手段】パチンコ玉３０を収容することが可能なパチンコ玉収容台２１と、パチンコ玉収容台に隣接し、パチンコ玉が転動可能な傾斜を有するパチンコ玉転動スロープ部２２と、パチンコ玉転動スロープ部の傾斜下方端部に設けられた回動片がパチンコ玉の重量により回動してモータスイッチを閉成することにより電力が供給されて駆動するステップモータと、ステップモータの出力軸に固定され、パチンコ玉転動スロープ部から落下するパチンコ玉を個別に把持しながら回転供給してパチンコ玉を上方向へ移送するスプロケット２４と、スプロケットにより回転供給されたパチンコ玉を、パチンコ遊技装置１０の台盤面側に設けられたパチンコ玉供給皿に供給する供給ホース部２６とを備える。【選択図】図１
0003226231.tif 000002
【実用新案登録請求の範囲】
【請求項１】
パチンコ玉回収供給装置であって、
パチンコ玉を収容することが可能なパチンコ玉収容台と、
前記パチンコ玉収容台に隣接し、前記パチンコ玉が転動可能な傾斜を有するパチンコ玉転動スロープ部と、
前記パチンコ玉転動スロープ部の傾斜下方端部に設けられた回動片が前記パチンコ玉の重量により回動してモータスイッチを閉成することにより電力が供給されて駆動するステップモータと、
前記ステップモータの出力軸に固定され、前記パチンコ玉転動スロープ部から落下する前記パチンコ玉を個別に把持しながら回転供給して前記パチンコ玉を上方向へ移送するスプロケットと、
前記スプロケットにより回転供給された前記パチンコ玉を、パチンコ遊技装置の台盤面側に設けられたパチンコ玉供給皿に供給する供給ホース部と、
を備えることを特徴とするパチンコ玉回収供給装置。
【請求項２】
前記パチンコ玉回収供給装置は、前記パチンコ遊技装置の背面側に取り付け可能である、ことを特徴とする請求項１に記載のパチンコ玉回収供給装置。
【請求項３】
前記パチンコ玉収容台は、前記パチンコ玉転動スロープ部の前記傾斜下方端部に向かって前記パチンコ玉が転動するように案内する玉案内部を有する、ことを特徴とする請求項１または２に記載のパチンコ玉回収供給装置。
【請求項４】
前記スプロケットは、中心部分に位置する円盤状のコア部と、前記コア部の外周から半径方向外向きに延出する複数の送玉歯とを有し、
隣接する前記送玉歯間には、前記パチンコ玉を保持可能な玉保持部が形成され、
前記玉保持部は、前記スプロケットの半径方向の曲率が前記パチンコ玉の曲率と等しい凹面状に形成されている、
ことを特徴とする請求項１乃至３の何れか１項に記載のパチンコ玉回収供給装置。
【請求項５】
前記玉保持部は、前記スプロケットの厚さ方向の曲率が前記パチンコ玉の曲率と等しい凹面状に形成されている、ことを特徴とする請求項４に記載のパチンコ玉回収供給装置。
【請求項６】
前記供給ホース部は、前記パチンコ玉を一列状に上方向へ移送可能な径を有する、ことを特徴とする請求項１乃至５の何れか１項に記載のパチンコ玉回収供給装置。
【請求項７】
前記供給ホース部は、可撓性材料で構成される、ことを特徴とする請求項１乃至６の何れか１項に記載のパチンコ玉回収供給装置。
【考案の詳細な説明】
【技術分野】
【０００１】
本考案は、パチンコホールで使用されていたパチンコ遊技装置を遊技コーナーで使用されるパチンコ遊技装置（転用機）として、容易に転用することが可能なパチンコ玉回収供給装置に関する。
【背景技術】
【０００２】
従来、複数のパチンコ遊技装置が設置されているパチンコホールにおいては、玉回収機構が所定数のパチンコ遊技装置で構成される島単位でパチンコ玉を回収するとともに、パチンコ玉の補給を行っている。
すなわち、パチンコホールにおいては大規模な玉回収機構が設けられており、同じ島の全てのパチンコ遊技装置で使用される玉は、この玉回収機構により回収、再供給されるように構成されている。そして、玉が回収された後には、各パチンコ遊技装置で顧客により代金が投入された場合に、所定個数の玉が当該パチンコ遊技装置に供給されるように構成されている。
【０００３】
一方、パチンコホールではなく、アミューズメントパーク、遊技場、銭湯等の遊技コーナーにおいても、同様のパチンコ遊技装置が設置され、稼働している。このような遊技コーナーで使用されるパチンコ遊技装置を「転用機」と称することがある。
【０００４】
上述のような遊技コーナー等では、設置されるパチンコ遊技装置の台数が少なかったり、玉回収機構が非常に高価であったりすることから、パチンコホールで使用されるような玉回収機構は導入されていない。そこで、遊技コーナー等で使用されるパチンコ遊技装置においては、パチンコ遊技装置ごとに玉の回収、再供給を行う必要がある。
【０００５】
そのために現在では、遊技コーナー等では、パチンコ遊技装置とは別個に玉回収装置が設置されて使用されている（例えば、特許文献１を参照。）。
【０００６】
このような従来の玉回収装置は、パチンコ遊技装置の裏面側に設置され、筒状の筐体内にコイルスプリングが内装され、当該コイルスプリングをモータで水平方向に回転することにより、玉を下方から、コイルスプリングの摩擦を利用して上方へ搬送し、再供給するように構成されている。
【先行技術文献】
【特許文献】
【０００７】
【特許文献１】特開２０００−１４０３８５号公報
【考案の概要】
【考案が解決しようとする課題】
【０００８】
しかしながら、上述のような従来の玉回収装置にあっては、コイルスプリングの摩擦を利用して玉を持ち上げるように構成されているため、故障が多い、という問題があった。
【０００９】
また、玉回収装置は大型の装置であり、パチンコ遊技装置とは別個に設置する必要があった。その結果、パチンコ遊技装置の転用にあっては、転用機設置者側では転用機および玉回収装置の双方を購入して双方を設置する必要があり、転用機設置者側で接続作業を含めて設置する必要があり、作業が煩雑である、という問題があった。
【００１０】
本考案は、上述のような実状に鑑みてなされたものであり、パチンコホールで使用されていたパチンコ遊技装置を遊技コーナーで使用されるパチンコ遊技装置として、容易に転用することが可能なパチンコ玉回収供給装置を提供することが課題である。
【課題を解決するための手段】
【００１１】
上記課題を解決するために、下記のような構成を採用した。
すなわち、請求項１に記載の考案は、パチンコ玉回収供給装置であって、パチンコ玉を収容することが可能なパチンコ玉収容台と、前記パチンコ玉収容台に隣接し、前記パチンコ玉が転動可能な傾斜を有するパチンコ玉転動スロープ部と、前記パチンコ玉転動スロープ部の傾斜下方端部に設けられた回動片が前記パチンコ玉の重量により回動してモータスイッチを閉成することにより電力が供給されて駆動するステップモータと、前記ステップモータの出力軸に固定され、前記パチンコ玉転動スロープ部から落下する前記パチンコ玉を個別に把持しながら回転供給して前記パチンコ玉を上方向へ移送するスプロケットと、前記スプロケットにより回転供給された前記パチンコ玉を、パチンコ遊技装置の台盤面側に設けられたパチンコ玉供給皿に供給する供給ホース部と、を備えることを特徴とする。
【００１２】
本考案により、パチンコホールで使用されていたパチンコ遊技装置を遊技コーナーで使用されるパチンコ遊技装置として、容易に転用することができる。
【００１３】
請求項２に記載の考案は、請求項１に記載の考案であって、前記パチンコ玉回収供給装置が、前記パチンコ遊技装置の背面側に取り付け可能であることを特徴とする。
【００１４】
本考案により、パチンコホールで使用されていた個別のパチンコ遊技装置を、遊技コーナーで使用される個別のパチンコ遊技装置として転用することができる。
【００１５】
請求項３に記載の考案は、請求項１または２に記載のパチンコ玉回収供給装置であって、前記パチンコ玉収容台が、前記パチンコ玉転動スロープ部の前記傾斜下方端部に向かって前記パチンコ玉が転動するように案内する玉案内部を有することを特徴とする。
【００１６】
本考案により、パチンコ玉収容台に収容されたパチンコ玉をスプロケットへ的確に案内することができる。
【００１７】
請求項４に記載の考案は、請求項１乃至３の何れか１項に記載のパチンコ玉回収供給装置であって、前記スプロケットが、中心部分に位置する円盤状のコア部と、前記コア部の外周から半径方向外向きに延出する複数の送玉歯とを有し、隣接する前記送玉歯間には、前記パチンコ玉を保持可能な玉保持部が形成され、前記玉保持部が、前記スプロケットの半径方向の曲率が前記パチンコ玉の曲率と等しい凹面状に形成されていることを特徴とする。
【００１８】
本考案により、スプロケットの各玉保持部に各個のパチンコ玉を把持した状態で、回転させながら回収、再供給させることができる。
【００１９】
請求項５に記載の考案は、請求項４に記載のパチンコ玉回収供給装置であって、前記玉保持部が、前記スプロケットの厚さ方向の曲率が前記パチンコ玉の曲率と等しい凹面状に形成されていることを特徴とする。
【００２０】
本考案により、スプロケットの各玉保持部に各個のパチンコ玉を確実に把持した状態で、回収、再供給させることができる。
【００２１】
請求項６に記載の考案は、請求項１乃至５の何れか１項に記載のパチンコ玉回収供給装置であって、前記供給ホース部が、前記パチンコ玉を一列状に上方向へ移送可能な径を有することを特徴とする。
【００２２】
本考案により、パチンコ玉を一列状に上方向へ確実に移送させることができる。
【００２３】
請求項７に記載の考案は、請求項１乃至６の何れか１項に記載のパチンコ玉回収供給装置であって、前記供給ホース部が、可撓性材料で構成されることを特徴とする。
【００２４】
本考案により、パチンコ玉が供給ホース内で詰まったりすることもなく、上方向へ容易に移送させることができる。
【考案の効果】
【００２５】
本考案によれば、ステップモータにより駆動されるスプロケットを利用してパチンコ遊技装置に玉の回収、再供給を行うように構成されていることから、パチンコ玉を下方からコイルスプリングの摩擦を利用して上方へ搬送する必要がないので、それ伴い発生する故障を排除でき、円滑にパチンコ玉をパチンコ遊技装置へ供給して遊技することが可能になる、という効果を奏する。
また、本考案によれば、パチンコ遊技装置の転用の際、転用機設置者側では転用機および玉回収装置の双方を購入して双方を設置する必要がなく、転用機設置者側で接続作業を含めて設置する必要もなく、転用機としての設置作業が容易である、という効果をも奏する。
【図面の簡単な説明】
【００２６】
【図１】本考案の実施の形態に係るパチンコ玉回収供給装置の概要を示す図である。
【図２】本考案の実施の形態に係るパチンコ玉回収供給装置の主要部を示す図である。
【図３】本考案の実施の形態に係るスプロケットを示す図である。
【図４】本考案の実施の形態に係るスプロケットを格納するスプロケット格納部を示す図である。
【考案を実施するための形態】
【００２７】
以下に図面を参照して、本考案を実施するために好適な実施の形態を例示的に詳しく説明する。ただし、本実施の形態に記載されている構成部品の寸法、材質、形状、その相対配置などは、特に特定的な記載がない限りは、本考案の範囲をそれらのみに限定する趣旨のものではない。
【００２８】
図１は、本考案の実施の形態に係るパチンコ玉回収供給装置の概要を示す図であり、図２は、本考案の実施の形態に係るパチンコ玉回収供給装置の主要部を示す図である。
【００２９】
図１に示すように、パチンコ玉回収供給装置２０は、パチンコ遊技装置１０の背面１１側に取り付けられる。例えば、１台のパチンコ玉回収供給装置２０は、１台のパチンコ遊技装置１０に取り付けられる。
【００３０】
図１または図２において、パチンコ玉回収供給装置２０は、パチンコ玉収容台２１、パチンコ玉転動スロープ部２２、ステップモータ２３、スプロケット２４、スプロケット格納部２５、供給ホース部２６、玉案内部２７、およびスプロケットカバー２８を備える。
【００３１】
パチンコ玉収容台２１は、パチンコ遊技装置１０の入賞口から盤面外へ排出されたパチンコ玉３０、およびアウト口から盤面外へ排出されたパチンコ玉３０を一時的に収容する。
【００３２】
パチンコ玉収容台２１は、上方が開放された箱状に形成され、底板部分がパチンコ玉転動スロープ部２２に向かって下方に傾斜している。
【００３３】
パチンコ玉転動スロープ部２２は、パチンコ玉収容台２１に隣接し、パチンコ玉３０が一列に並びながら転動可能な傾斜を有する。
【００３４】
ステップモータ２３は、パチンコ玉転動スロープ部２２の傾斜下方端部に設けられた回動片がパチンコ玉３０の重量により回動してモータスイッチを閉成することにより電力が供給されて駆動する。
【００３５】
スプロケット２４は、ステップモータ２３の出力軸に固定され、パチンコ玉転動スロープ部２２から落下するパチンコ玉３０を個別に把持しながら回転供給してパチンコ玉３０を上方向へ移送する。スプロケット２４の詳細については、図３を用いて後述する。
【００３６】
スプロケット格納部２５は、スプロケット２４を格納する。スプロケット格納部２５の詳細については、図４を用いて後述する。
【００３７】
供給ホース部２６は、スプロケット２４により回転供給されたパチンコ玉３０を、パチンコ遊技装置の台盤面側に設けられたパチンコ玉供給皿に供給する。
【００３８】
本実施の形態にあっては、供給ホース部２６は、複数のパチンコ玉３０を一列状に上方向へ移送可能な径を有する。
【００３９】
供給ホース部２６の径をパチンコ玉３０の径より大きくすることで、複数のパチンコ玉３０が供給ホース２６の内部を上方向へ移送することが可能となる。
【００４０】
供給ホース部２６は、可撓性材料で構成される。例えば、供給ホース部２６の材料は、ポリエチレン（ＰＥ）、ポリプロピレン（ＰＰ）、ポリ塩化ビニル（ＰＶＣ）、ポリエチレンテレフタレート（ＰＥＴ）、ゴム、ポリテトラフルオロエチレン（ＰＴＦＥ）、およびポリウレタン（ＰＵ）の群から選択される。
【００４１】
玉案内部２７は、スプロケット格納部２５に設置され、パチンコ玉転動スロープ部２２の傾斜下方端部に向かってパチンコ玉３０が転動するように案内する。玉案内部２７は、例えば、角柱形状であり、パチンコ玉転動スロープ部２２の傾斜によって転動するパチンコ玉３０がパチンコ玉転動スロープ部２２の傾斜下方端部に向かうように案内する。
【００４２】
スプロケットカバー２８は、スプロケット格納部２５に取り付けられ、スプロケット２４によって上方向へ移送されるパチンコ玉３０が外部に零れ落ちてしまうことを防止する。
【００４３】
図３は、本考案の実施の形態に係るスプロケットを示す図である。
【００４４】
スプロケット２４は、歯車形状であり、中心部分に位置する円盤状のコア部２４１、コア部２４１の外周から半径方向外向きに延出する複数の送玉歯２４２を有する。図３に示した例においては、スプロケット２４は、９個の送玉歯２４２を有している。
【００４５】
隣接する送玉歯２４２間には、パチンコ玉３０を保持可能な複数の玉保持部２４３が形成される。９個の送玉歯２４２を有している図３に示した例においては、スプロケット２４は、９個の玉保持部２４３を有している。
【００４６】
玉保持部２４３は、例えば、スプロケット２４の半径方向または厚さ方向の曲率が、パチンコ玉３０の曲率と等しい凹面状に形成されている場合もある。この場合、玉保持部２４３は、パチンコ玉３０を確実に保持できる。
【００４７】
また、スプロケット２４の半径方向および厚さ方向の双方の曲率がパチンコ玉３０の曲率と等しい凹面状に形成されている場合、即ち、玉保持部２４３は、パチンコ玉３０の曲率と等しい球面状に形成されている場合もある。この場合、玉保持部２４３は、パチンコ玉３０をより確実に保持できる。
【００４８】
コア部２４の中央には、軸連結穴２４４が形成されている。
【００４９】
軸連結穴２４４は、ステップモータ２３の出力軸を挿通させてステップモータ２３とスプロケット２４を連結させる。これにより、ステップモータ２３による出力軸の回転をスプロケット２４に伝達することができる。
【００５０】
図４は、本考案の実施の形態に係るスプロケットを格納するスプロケット格納部２５
を示す図である。
【００５１】
スプロケット格納部２５は、図４に示すように、全体略薄型直方体板状に形成されており、パチンコ玉３０を受け入れるための第１の空間部２５２と、第１の空間部２５２の側方左端部に連通して形成された、スプロケット２４が配置される第２の空間部２５３と、第２の空間部２５３の側方右端部に連通して形成された、パチンコ玉３０を排出するための第３の空間２５４により構成されている。
【００５２】
第１の空間部部２５２は、パチンコ玉転動スロープ部２２から落下したパチンコ玉３０が通過する部位である。第２の空間部２５３は、スプロケット２４が回転可能に格納される部位である。そして、第３の空間部２５４は、スプロケット２４から上方向へ移送されるパチンコ玉３０が通過する部位である。
【００５３】
また、第２の空間部２５３の中央には、ステップモータ２３とスプロケット２４との間でステップモータ２３の出力軸が挿通する軸通し穴２５１が設けられている。スプロケット格納部２５は合成樹脂の一体成型により形成されている。
【００５４】
以上、本実施の形態を説明したが、本考案は、本実施の形態に限定されることなく、その要旨を逸脱しない範囲内で種々の変形実施をすることが可能である。
【００５５】
例えば、スプロケット２４は、９個の送玉歯２４２および玉保持部２４３を有しているとしたが、送玉歯２４２および玉保持部２４３の数は、１０個以上でもよいし、８個以下でもよい。好ましくは、送玉歯２４２および玉保持部２４３の数は、６個乃至１２個である。
【産業上の利用可能性】
【００５６】
本考案は、パチンコホールで使用されていたパチンコ遊技装置を遊技コーナーで使用されるパチンコ遊技装置として、容易に転用することが可能なパチンコ玉回収供給装置に関するものであり、広く産業上の可能性を有している。
【符号の説明】
【００５７】
１０      パチンコ遊技装置
１１      背面
２０      パチンコ玉回収供給装置
２１      パチンコ玉収容台
２２      パチンコ玉転動スロープ部
２３      ステップモータ
２４      スプロケット
２５      スプロケット格納部
２６      供給ホース部
２７      玉案内部
２８      スプロケットカバー
３０      パチンコ玉
２４１    コア部
２４２    送玉歯
２４３    玉保持部
２４４    軸連結穴
２５１    軸通し穴
２５２    第１の空間部
２５３    第２の空間部
２５４    第３の空間部
【図１】
0003226231.tif 000003
【図２】
0003226231.tif 000004
【図３】
0003226231.tif 000005
【図４】
0003226231.tif 000006
【手続補正書】
【提出日】令和2年3月5日(2020.3.5)
【手続補正１】
【補正対象書類名】実用新案登録請求の範囲
【補正対象項目名】請求項２
【補正方法】変更
【補正の内容】
【請求項２】
前記パチンコ玉回収供給装置は、前記パチンコ遊技装置の背面側に取り付けられていることを特徴とする請求項１に記載のパチンコ玉回収供給装置。
【手続補正２】
【補正対象書類名】明細書
【補正対象項目名】００１３
【補正方法】変更
【補正の内容】
【００１３】
請求項２に記載の考案は、請求項１に記載の考案であって、前記パチンコ玉回収供給装置は、前記パチンコ遊技装置の背面側に取り付けられていることを特徴とする。